(57)【要約】【課題】携帯無線端末の受信部のＡＧＣ回路の調整中には、ＰＣにより調整機器が常に制御される必要があり、ＰＣと調整機器との間の通信に要する時間がかかり、調整時間がかかる。【解決手段】調整開始時は減衰量最大のＡＴＴ１６ｎの出力信号から減衰量最小のＡＴＴ１６１の出力信号に切り換わり、携帯無線端末に供給されるＲＦ信号が少なくともＸｄＢ以上立ち上がるので、ＡＧＣ調整回路１２は、その立ち上がりを検出した時に、基準となるトリガポイントを生成する。以後周期Ｔ毎に漸次レベルが小となる階段波形のＲＦ信号を受信する携帯無線端末１１で電界レベルの測定を行い、ＲＦ信号の階段波形の各段の電界レベルを測定する毎に測定値をＡＧＣ調整回路１２内のＲＡＭ上のテーブルに格納した後、ＰＣ１３に一括転送して規格値と比較し、規格値内に収まるまで調整を繰り返す。【選択図】　　　　　　図１
2004120691.tif 000002
【特許請求の範囲】
【請求項１】
受信ＲＦ信号に対して自動利得制御（ＡＧＣ）動作を行う受信部を備えた携帯無線端末のＡＧＣ調整システムにおいて、
一定振幅の信号を発生する信号発生手段と、
前記信号発生手段から出力された信号を、互いに異なる減衰量でそれぞれ減衰された減衰信号を並列に出力する減衰手段と、
前記減衰手段から並列に出力された複数の減衰信号を、初期状態では最も減衰量が大である一の減衰信号を選択し、調整開始後は最も減衰量が小である一の減衰信号を選択し、以後漸次減衰量が大となる減衰信号の順で、前記最も減衰量が大である一の減衰信号を選択するまで一定周期で切り換え選択し、選択した減衰信号を前記携帯無線端末へ前記ＲＦ信号として供給するスイッチ手段と、
前記スイッチ手段により選択された一の減衰信号をＲＦ信号として受信し、その受信ＲＦ信号の立ち上がりが所定値以上であるか否か検出する検出手段と、
前記検出手段により前記受信ＲＦ信号の立ち上がりが前記所定値以上であると検出されたときは、前記携帯無線端末の受信部の自動利得制御動作時のＡＧＣ値に対応した受信電界レベルを、前記スイッチ手段の切り換えに同期して前記一定周期で逐次測定し、その測定値を記憶装置に記憶する測定手段と、
前記測定手段により測定された複数の測定値を前記記憶装置から読み出して規格値と比較し、規格値内に収まっていないときは該規格値に収まるまで、前記スイッチ手段による選択動作と、前記検出手段による検出動作と、前記測定手段による測定動作とを繰り返す制御手段と
を有することを特徴とする携帯無線端末の受信部のＡＧＣ調整システム。
【請求項２】
前記測定手段は、前記携帯無線端末の受信部で受信された前記ＲＦ信号の電界レベルを測定する測定部と、前記測定部の測定動作を前記一定周期で行わせるタイミング回路と、前記測定部により測定された値を逐次記憶し、前記制御手段により記憶された前記測定値が読み出される前記記憶装置とよりなることを特徴とする請求項１記載の携帯無線端末の受信部のＡＧＣ調整システム。
【請求項３】
前記減衰手段は、互いに減衰量の異なる、並列に接続された複数の減衰器からなり、該複数の減衰器のうち、前記最も減衰量が大である一の減衰信号を出力する第１の減衰器は、前記測定手段によりノイズレベルと測定されるレベルの減衰信号を出力し、前記最も減衰量が小である一の減衰信号を出力する第２の減衰器は、前記測定手段によりノイズレベルよりも前記所定値以上のレベルの減衰信号を出力することを特徴とする請求項１記載の携帯無線端末の受信部のＡＧＣ調整システム。
【請求項４】
前記測定手段は、前記検出手段により前記受信ＲＦ信号の立ち上がりが前記所定値以上であると検出された時点から、（Ｔ−α）経過した時点で（ただし、Ｔは前記一定周期、αはＴより小なる前倒し時間）前記受信電界レベル値を測定し、以後前記一定周期で逐次前記受信電界レベル値を測定することを特徴とする請求項１又は２記載の携帯無線端末の受信部のＡＧＣ調整システム。
【請求項５】
受信ＲＦ信号に対して自動利得制御（ＡＧＣ）動作を行う受信部を備えた携帯無線端末のＡＧＣ調整方法において、
一定振幅の信号を発生する第１のステップと、
前記一定振幅の信号を、互いに異なる減衰量でそれぞれ減衰された減衰信号を並列に出力する第２のステップと、
並列に出力された前記複数の減衰信号を、初期状態では最も減衰量が大である一の減衰信号を選択して前記携帯無線端末へ前記ＲＦ信号として出力する第３のステップと、
調整開始後は、並列に出力された前記複数の減衰信号のうち、最も減衰量が小である一の減衰信号を選択し、以後漸次減衰量が大となる減衰信号の順で、前記最も減衰量が大である一の減衰信号を選択するまで一定周期で切り換え選択し、選択した減衰信号を前記携帯無線端末へ前記ＲＦ信号として出力する第４のステップと、
前記第３のステップ及び前記第４のステップにより選択された一の減衰信号をＲＦ信号として受信し、その受信ＲＦ信号の立ち上がりが所定値以上であるか否か検出する第５のステップと、
前記第５のステップにより前記受信ＲＦ信号の立ち上がりが前記所定値以上であると検出されたときは、前記携帯無線端末の受信部の自動利得制御動作時のＡＧＣ値に対応した受信電界レベルを、前記一定周期で逐次測定し、その測定値を記憶装置に記憶する第６のステップと、
前記第６のステップで測定された複数の測定値を前記記憶装置から読み出して規格値と比較し、規格値内に収まっていないときは該規格値に収まるまで、前記第４乃至第６のステップを繰り返す第７のステップと
を含むことを特徴とするＡＧＣ調整方法。
【請求項６】
前記第６のステップは、前記第５のステップにより前記受信ＲＦ信号の立ち上がりが前記所定値以上であると検出された時点から、（Ｔ−α）経過した時点で（ただし、Ｔは前記一定周期、αはＴより小なる前倒し時間）前記受信電界レベル値を測定し、以後前記一定周期で逐次前記受信電界レベル値を測定することを特徴とする請求項５記載のＡＧＣ調整方法。
【発明の詳細な説明】
【０００１】
【発明の属する技術分野】
本発明は携帯無線端末の受信部のＡＧＣ調整システム及び調整方法に係り、特に受信部に自動利得制御（ＡＧＣ：Ａｕｔｏｍａｔｉｃ　Ｇａｉｎ　Ｃｏｎｔｒｏｌ）機能を備えた携帯無線端末の受信部のＡＧＣ調整システム及び調整方法に関する。
【０００２】
【従来の技術】
近年、携帯電話機等の携帯無線端末の種類とユーザの大幅な増加により、携帯無線端末の生産量が大幅に増加している。この携帯無線端末の生産量の大幅な増加に伴い、生産ラインにおける製造工程の効率化は益々重要になってきた。この製造工程の効率化のためには種々の方法が考えられるが、その一つとして、携帯無線端末の受信部のＡＧＣ回路の調整時間の短縮化が考えられる。
【０００３】
ここで、従来のＡＧＣ回路の調整時間の短縮方法として、記録媒体に記録されているデータを読み取り、その読み取りレベルの自動利得制御を行うと共に、所定レベルで読み取ったデータをスライスレベルでスライスする機能を有する装置において、自動利得制御により得られる利得を最大値に固定し、次に利得固定状態を解除し自動利得制御動作を行わせ、スライスレベルを一定ステップで変更する方法が知られている（特許文献１参照）。
【０００４】
すなわち、この従来のＡＧＣ回路の調整時間の短縮方法は、磁気テープ装置に設けられているコミュニケーションレジスタにＡＧＣの利得固定を指示するコマンドとＡＧＣ利得の最大値を設定して最初のデータブロックを読み取り、次に上記のレジスタにＡＧＣ利得固定イネーブルコマンドと、スライスレベルを順次最大値から最小値まで一定ステップで変更する情報を設定して、以降のデータブロックを読み取り、スライスレベルの変更間のデータによりＡＧＣ特性を作成することにより、各種測定器を使用することなくＡＧＣ特性を任意に、しかも容易に測定しようとするものである。
【０００５】
また、磁気記録されていた信号をディジタル信号に変換する時の自動利得制御の調整方法において、再生周波数に偏りのない信号が記録されている記録媒体を再生し、複数値検出後の複数値のうちの一つの絶対値をとり、それを決められたサンプル数積分して得られた積分値に基づいて上記自動利得制御の調整を行うようにした自動利得制御の調整方法も従来より知られている（特許文献２参照）。
【０００６】
【特許文献１】
特開昭６１−５９６６２号公報（第１−２頁、第１図）
【特許文献２】
特開平１１−３２８８５５号公報（第１頁）
【０００７】
【発明が解決しようとする課題】
しかるに、携帯無線端末の製造ラインにおいて、携帯無線端末の受信部のＡＧＣ回路の調整中には、パーソナルコンピュータ（以下、ＰＣと記す）により信号発生器、携帯無線端末、タイミング回路などの調整機器が常に制御される必要があり、ＰＣと調整機器との間の通信に要する時間がかかり、調整時間がかかるという問題がある。
【０００８】
また、前述した特許文献１記載の方法を携帯無線端末の受信部のＡＧＣ回路の調整に適用した場合、上記のＰＣと調整機器との通信に時間が掛かるという問題に加えて、スライスレベルを順次最大値から最小値まで一定ステップで変更しながら、その都度データブロックを読み取る必要があるため、それに要する時間が必要となり、やはり調整時間がかかってしまう。
【０００９】
更に、前述した特許文献２記載の方法は、自動利得制御するための値を得るために、複数値検出後の複数値のうちの一つの絶対値をとり、それを決められたサンプル数積分する必要があるため、やはり調整時間が掛かるという問題がある。
【００１０】
本発明は以上の点に鑑みなされたもので、調整中のＰＣと調整機器との通信を省略し、無線端末が受信する電界レベルのＸｄＢの立ち上がりを無線端末が検出し、調整開始のトリガとすることでＡＧＣ回路の調整時間を短縮し得る携帯無線端末の受信部のＡＧＣ調整システム及び調整方法を提供することを目的とする。
【００１１】
【課題を解決するための手段】
上記の目的を達成するため、第１の発明のＡＧＣ調整システムは、受信ＲＦ信号に対して自動利得制御（ＡＧＣ）動作を行う受信部を備えた携帯無線端末のＡＧＣ調整システムにおいて、一定振幅の信号を発生する信号発生手段と、信号発生手段から出力された信号を、互いに異なる減衰量でそれぞれ減衰された減衰信号を並列に出力する減衰手段と、減衰手段から並列に出力された複数の減衰信号を、初期状態では最も減衰量が大である一の減衰信号を選択し、調整開始後は最も減衰量が小である一の減衰信号を選択し、以後漸次減衰量が大となる減衰信号の順で、最も減衰量が大である一の減衰信号を選択するまで一定周期で切り換え選択し、選択した減衰信号を携帯無線端末へＲＦ信号として供給するスイッチ手段と、スイッチ手段により選択された一の減衰信号をＲＦ信号として受信し、その受信ＲＦ信号の立ち上がりが所定値以上であるか否か検出する検出手段と、検出手段により受信ＲＦ信号の立ち上がりが所定値以上であると検出されたときは、携帯無線端末の受信部の自動利得制御動作時のＡＧＣ値に対応した受信電界レベルを、スイッチ手段の切り換えに同期して一定周期で逐次測定し、その測定値を記憶装置に記憶する測定手段と、測定手段により測定された複数の測定値を記憶装置から読み出して規格値と比較し、規格値内に収まっていないときは規格値に収まるまで、スイッチ手段による選択動作と、検出手段による検出動作と、測定手段による測定動作とを繰り返す制御手段とを有することを特徴とする。
【００１２】
この発明では、調整開始後はスイッチ手段により選択された一の減衰信号を携帯端末の受信部にＲＦ信号として受信させ、その受信ＲＦ信号の立ち上がりが所定値以上であると検出されたときは、携帯無線端末の受信部の自動利得制御動作時のＡＧＣ値に対応した受信電界レベルを、スイッチ手段の切り換えに同期して一定周期で逐次測定し、その測定値を規格値と比較し、規格値内に収まるまで、上記の調整動作を行うようにしたため、調整動作中は外部の機器と通信を行うことなく、調整動作ができる。
【００１３】
また、上記の目的を達成するため、第２の発明のＡＧＣ調整システムは、測定手段を、携帯無線端末の受信部で受信されたＲＦ信号の電界レベルを測定する測定部と、測定部の測定動作を一定周期で行わせるタイミング回路と、測定部により測定された値を逐次記憶し、制御手段により記憶された測定値が読み出される記憶装置とよりなる構成としたものである。
【００１４】
また、上記の目的を達成するため、第３の発明のＡＧＣ調整システムは、上記の減衰手段を、互いに減衰量の異なる、並列に接続された複数の減衰器からなり、複数の減衰器のうち、最も減衰量が大である一の減衰信号を出力する第１の減衰器は、測定手段によりノイズレベルと測定されるレベルの減衰信号を出力し、最も減衰量が小である一の減衰信号を出力する第２の減衰器は、測定手段によりノイズレベルよりも所定値以上のレベルの減衰信号を出力することを特徴とする。
【００１５】
また、上記の目的を達成するため、第４の発明のＡＧＣ調整システムは、測定手段を、検出手段により受信ＲＦ信号の立ち上がりが所定値以上であると検出された時点から、（Ｔ−α）経過した時点で（ただし、Ｔは一定周期、αはＴより小なる前倒し時間）受信電界レベル値を測定し、以後一定周期で逐次受信電界レベル値を測定することを特徴とする。
【００１６】
また、上記の目的を達成するため、第５の発明のＡＧＣ調整方法は、受信ＲＦ信号に対して自動利得制御（ＡＧＣ）動作を行う受信部を備えた携帯無線端末のＡＧＣ調整方法において、一定振幅の信号を発生する第１のステップと、一定振幅の信号を、互いに異なる減衰量でそれぞれ減衰された減衰信号を並列に出力する第２のステップと、並列に出力された複数の減衰信号を、初期状態では最も減衰量が大である一の減衰信号を選択して携帯無線端末へＲＦ信号として出力する第３のステップと、調整開始後は、並列に出力された複数の減衰信号のうち、最も減衰量が小である一の減衰信号を選択し、以後漸次減衰量が大となる減衰信号の順で、最も減衰量が大である一の減衰信号を選択するまで一定周期で切り換え選択し、選択した減衰信号を携帯無線端末へＲＦ信号として出力する第４のステップと、第３のステップ及び第４のステップにより選択された一の減衰信号をＲＦ信号として受信し、その受信ＲＦ信号の立ち上がりが所定値以上であるか否か検出する第５のステップと、第５のステップにより受信ＲＦ信号の立ち上がりが所定値以上であると検出されたときは、携帯無線端末の受信部の自動利得制御動作時のＡＧＣ値に対応した受信電界レベルを、一定周期で逐次測定し、その測定値を記憶装置に記憶する第６のステップと、第６のステップで測定された複数の測定値を記憶装置から読み出して規格値と比較し、規格値内に収まっていないときは規格値に収まるまで、第４乃至第６のステップを繰り返す第７のステップとを含むことを特徴とする。
【００１７】
この発明では、調整開始後は第５のステップにより受信ＲＦ信号の立ち上がりが所定値以上であると検出されたときは、第６のステップにおいて携帯無線端末の受信部の自動利得制御動作時のＡＧＣ値に対応した受信電界レベルを一定周期で逐次測定し、その測定値を規格値と比較し、規格値内に収まるまで、上記の調整動作を行うようにしたため、調整動作中は外部の機器と通信を行うことなく、調整動作ができる。
【００１８】
更に、第７の発明のＡＧＣ調整方法は、第６の発明における第６のステップを、第５のステップにより受信ＲＦ信号の立ち上がりが所定値以上であると検出された時点から、（Ｔ−α）経過した時点で（ただし、Ｔは一定周期、αはＴより小なる前倒し時間）受信電界レベル値を測定し、以後一定周期で逐次受信電界レベル値を測定することを特徴とする。
【００１９】
【発明の実施の形態】
次に、本発明の実施の形態について図面と共に説明する。図１は本発明になる携帯無線端末の受信部のＡＧＣ調整システムの一実施の形態のブロック図を示す。同図において、携帯無線端末１１は製造ライン上における携帯無線端末で、後述する構成のＡＧＣ調整回路１２を有している。ＰＣ１３はこの携帯無線端末１１に接続されて制御すると共に、信号発生器１４及びタイミング回路１５の動作を制御する。
【００２０】
信号発生器１４は、携帯無線端末１１が受信するＲＦ信号を既知の一定振幅で出力する。並列に接続されたｎ個の減衰器（ＡＴＴ：Ａｔｔｅｎｕａｔｏｒ）１６１〜１６ｎは、上記のＲＦ信号を入力としてそれぞれ同時に受け、その入力ＲＦ信号を互いに異なる予め設定した固定の減衰量で減衰して並列に出力する。ここでは、減衰器ＡＴＴ１６１の減衰量が最も小で、以下、ＡＴＴ１６２、１６３、・・・の順で減衰量が大となり、ＡＴＴ１６ｎの減衰量が最も大であるものとする。
【００２１】
プログラマブル高周波スイッチ１７は、減衰器ＡＴＴ１６１〜１６ｎから並列に出力された減衰ＲＦ信号を入力として受け、タイミング回路１５からの切換信号に基づき、その中の一の減衰ＲＦ信号を選択出力し、携帯無線端末１１のＲＦ信号入力端子を介してＡＧＣ調整回路１２に供給する。タイミング回路１５からの切換信号は一定周期Ｔであり、上記のプログラマブル高周波スイッチ１７は一定周期Ｔで入力減衰ＲＦ信号を切換出力する。プラグラマブル高周波スイッチ１７は例えばＰＩＮダイオードで構成されている。
【００２２】
図２は携帯無線端末１１内のＡＧＣ調整回路１２の一例のブロック図を示す。ＡＧＣ調整回路１２は受信部１２１、ＲＳＳＩ（受信電界レベル）測定部１２２、タイミング回路１２３及びランダム・アクセス・メモリ（ＲＡＭ）１２４からなり、受信部１２１は外部Ｉ／Ｏコネクタ１２５に接続されている。ＡＧＣ調整回路１２を構成する各回路は、携帯無線端末１１が本来備えている回路である。ＡＧＣ調整回路１２は、ＰＣ１３からの制御コマンドにより受信ＡＧＣ調整動作の開始、終了、測定データのＰＣ１３への出力を行う。また、ＡＧＣ調整回路１２は、受信レベルのＸｄＢ以上の立ち上がりを検出し、トリガタイミングとする。
【００２３】
次に、本実施の形態の動作について図１乃至図４と共に説明する。プログラマブル高周波スイッチ１７は、初期状態として減衰量が最も大であるＡＴＴ１６ｎの出力信号を選択する状態になっている。この状態で、まず、ＰＣ１３が調整開始コマンドを図３の時刻ｔ１で信号発生器１４に出力する。これにより、信号発生器１４はＲＦ信号を出力し始める。また、これと同時に、調整開始時の一度だけ、ＰＣ１３はプログラマブル高周波スイッチ１７に、スイッチ切り換えの順序を指定するコマンドを送出する。
【００２４】
信号発生器１４から出力されたＲＦ信号は、プログラマブル高周波スイッチ１７によりＡＴＴ１６ｎで最大量の減衰を受けて携帯無線端末１１の図２に示した外部Ｉ／Ｏコネクタ１２５を介して受信部１２１に供給される。このときの受信部１２１のＲＦ信号は最大の減衰を受けているため、受信部１２１にはノイズレベルの信号として入力されている。
【００２５】
続いて、ＰＣ１３は携帯無線端末１１へ「受信階段波形調整開始」の制御コマンドを図３の時刻ｔ２で送出する。これにより、携帯無線端末１１は調整開始のトリガ信号待ち受け状態に入る。続いて、ＰＣ１３はタイミング回路１５へ測定開始のコマンドを図３の時刻ｔ３で送出する。これにより、タイミング回路１５は周期Ｔをｎ回連続でカウントし、カウント毎にプログラマブル高周波スイッチ１７を減衰器ＡＴＴ１６ｎ→ＡＴＴ１６１→ＡＴＴ１６２→ＡＴＴ１６３→・・・→ＡＴＴ１６ｎの指定順で各減衰器出力信号を選択するように自動的に切り換えるように制御する。
【００２６】
従って、図３に示すように、時刻ｔ３で携帯無線端末１１内のＡＧＣ調整回路１２には減衰量最小の減衰器ＡＴＴ１６１から最大レベルのＲＦ信号が供給され、以後周期Ｔ毎に漸次レベルが小となる階段波形のＲＦ信号が供給される。すなわち、信号発生器１４の出力電力は調整中一定で、携帯無線端末１１が受信するＲＦ信号の階段波形は、プログラマブル高周波スイッチ１７の切り換えにより生成される。
【００２７】
ここで、調整が開始され、時刻ｔ３で携帯無線端末１１内のＡＧＣ調整回路１２に供給されるＲＦ信号が、減衰量最大の減衰器ＡＴＴ１６ｎの出力信号から減衰量最小の減衰器ＡＴＴ１６１へ切り換わった瞬間は、図３に２０３で示すように、ＡＧＣ調整回路１２に供給されるＲＦ信号が少なくともＸｄＢ以上立ち上がるので、ＡＧＣ調整回路１２は入力ＲＦ信号がＸｄＢ以上立ち上がったことを検出した時に、基準となるトリガポイントを生成する。
【００２８】
このＡＧＣ調整回路１２による入力ＲＦ信号がＸｄＢ以上立ち上がったことを検出する検出手段について更に詳細に説明する。図２に示すＲＳＳＩ測定部１２２は受信部１２１で受信されたＲＦ信号の電界レベルを検出するが、その受信部１２１内のＡＧＣ回路のデフォルトのＡＧＣしきい値が予め書き込まれており、このＡＧＣしきい値に対応する電界レベルのしきい値とＲＦ信号の電界レベルとを大小比較する。
【００２９】
ここで、ＡＧＣ値とは、受信部１２１内のＡＧＣ回路の利得を制御するＤＡ変換のコード値であり、ＡＧＣ動作により受信部１２１の受信電界レベルに応じて出力信号レベルを一定とするような値に変化する。また、ＡＧＣしきい値は、前述したＸｄＢ以上の所定値の受信電界レベルを受信したとした時のＡＧＣ値である。このＡＧＣしきい値は、受信ＡＧＣの特性を考慮した、ある決められた一定の値で、調整に適切なものとするが、携帯無線端末個々の特性を無視したものであり、当然調整が必要である。
【００３０】
このＡＧＣしきい値が書き込まれた携帯無線端末１１は未調整なので誤差が大きい。しかし、誤差に対して上記ＸｄＢの値が十分に大きければ、ＲＳＳＩ測定部１２２はＸｄＢ以上の受信電界レベルの立ち上がりを検出することができる。つまり、受信電界レベルが大きく変化すればＡＧＣ値も大きく変化するので、ＡＧＣしきい値を「ＸｄＢ＋誤差」を考慮した値に設定しておけば、そのＡＧＣしきい値に対応したＲＦ信号しきい値を、受信部１２１が受信するＲＦ信号レベルが越えた瞬間をＲＳＳＩ測定回路１２２は調整開始時間と認識することができる。
【００３１】
例えば、図４に示すように、ＡＧＣしきい値が「３３３」であるとすると、ＸｄＢの立ち上がりがあったとき、受信部１２１の受信電界レベルに対応したＡＧＣ値が「２２２」まで上がったとすると、その時の受信電界レベルがＡＧＣしきい値に対応した電界レベルしきい値を越えるので、調整開始時間と認識することができる。
【００３２】
ＲＳＳＩ測定回路１２２は調整開始時間と認識すると、図２に示すタイミング回路１２３へトリガ信号を出力する。これにより、タイミング回路１２３は周期Ｔのクロックを発生してＲＳＳＩ測定回路１２２へ供給する。ＲＳＳＩ測定回路１２２は、この周期Ｔのクロックに基づき、前記基準となるトリガポイントから図３に示すように、ｔ（＝Ｔ−α）秒後に受信部１２１で受信されたＲＦ信号の電界レベルの測定を開始し、以後、周期Ｔでｎ段の階段波形のＲＦ信号を受信する受信部１２１の電界レベルの測定を行い、ＲＦ信号の階段波形の各段の電界レベルを測定する毎に測定値を図２のＲＡＭ１２４上のテーブルに格納する。ここで、上記のαは前倒し時間で、測定ポイントが階段波形のＲＦ信号に対応して階段的に変化する測定電界レベルの各段のほぼ中央時間位置とするためのものである。
【００３３】
ここで、上記のＲＳＳＩ測定部１２２による測定値は、受信部１２１がＲＦ信号を受信した時のＡＧＣ値に対応したＲＦ信号レベル（電界レベル）である。すなわち、外部Ｉ／Ｏコネクタ１２５を介してプログラマブル高周波スイッチ１７から受信部１２１に入力されるＲＦ信号は階段波形の各段において既知の所定値で変動していないが、受信部１２１内のＡＧＣ回路の利得を示すＡＧＣ値は製造初期段階においては誤差があり、受信部１２１に入力されたＲＦ信号レベルに対応した正規の値になっているとは限らない。ＲＳＳＩ測定部１２２は、このときの受信部１２１のＡＧＣ値に対応したＲＦ信号レベルを電界レベルとして測定する。
【００３４】
ＡＧＣ調整回路１２は、上記の電界レベルの測定及び測定値のＲＡＭ１２４のテーブルへの格納を周期Ｔ毎にｎ回繰り返した後、ＲＡＭ１２４に格納されたｎ個の測定値を一括して読み出して、外部Ｉ／Ｏコネクタ１２５を介して図１のＰＣ１３へ調整データとして出力する。
【００３５】
ＰＣ１３は入力されたｎ個の測定値からなる調整データと規定値とを比較し、ｎ個の測定値が規定値内に収まっているかどうか判定し、収まっていないときには、再び上述した階段波形のＲＦ信号の発生及びそのＲＦ信号の受信部１２１による受信とＲＳＳＩ測定部１２２での電界レベルの測定と測定値のＲＡＭ１２４への書き込みが順次に行われ、ＲＡＭ１２４に書き込まれた測定値が再調整されたデータとして読み出されてＰＣ１３へ出力され、規定値内に収まっているかどうか判定される。ｎ個の測定ＡＧＣ値が規定値内に収まるまで、上記の動作が繰り返され、ｎ個の測定ＡＧＣ値が規定値内に収まると、ＰＣ１３は「受信階段波形調整終了」のコマンドを携帯無線端末１１、信号発生器１４及びタイミング回路１５に供給して調整を終了する。
【００３６】
ここで、上記の調整が繰り返されると、受信部１２１のＡＧＣ回路がＲＦ信号に対してＡＧＣ動作を行うので、ＡＧＣ値は必ず規定値内に収束する。また、上記の再調整は、ｎ段の階段波形のＲＦ信号の全てについて測定してもよいが、規定値内に収まっていない階段部分のＲＦ信号についてのみプログラマブル高周波スイッチ１７を制御して選択出力させてそのＲＦ信号を受信部１２１に供給してＡＧＣ動作させ、その受信電界レベルを測定するようにしてもよい。
【００３７】
このようにして、携帯無線端末１１は例えば−５０ｄＢμという受信電界レベルが与えられたときには、携帯無線端末１１自身が−５０ｄＢμの受信電界レベルのＲＦ信号を受信したと認識したときの規定のＡＧＣ動作を行い、同様に他の測定ポイントの受信電界レベルのＲＦ信号を受信したときには、そのときの規定のＡＧＣ動作を行うような受信ＡＧＣ調整が行われる。なお、ＲＦ信号は階段波形であり、測定ポイントは不連続であるが、その間のＡＧＣ値は線形補間で求められる。
【００３８】
本実施の形態によれば、電界レベル値（ＡＧＣ値）の測定中はＰＣ１３は携帯無線端末１１、信号発生器１４、タイミング回路１５、プログラムマブル高周波スイッチ１７等の調整機器と通信を行わないので、従来に比べて調整時間を短縮化できる。
【００３９】
【発明の効果】
以上説明したように、本発明によれば、調整開始後に受信ＲＦ信号の立ち上がりが所定値以上であると検出されたときは、携帯無線端末の受信部の自動利得制御動作時のＡＧＣ値に対応した受信電界レベルを一定周期で逐次測定し、その測定値を規格値と比較し、規格値内に収まるまで調整動作を行うことにより、調整動作中は外部の機器と通信を行うことなく、調整動作ができるため、調整時間ヲ従来に比べて短縮することができ、携帯無線端末の量産ラインに適用して特に効果的であるという特長がある。
【図面の簡単な説明】
【図１】本発明のＡＧＣ調整システムの一実施の形態のブロック図である。
【図２】図１の携帯無線端末内のＡＧＣ調整回路の一例のブロック図である。
【図３】図２中のＲＳＳＩ測定回路の測定動作説明図である。
【図４】携帯無線端末によるＲＦ信号のＸｄＢ立ち上がり検出動作の説明図である。
【符号の説明】
１１　携帯無線端末
１２　ＡＧＣ調整回路
１３　パーソナルコンピュータ（ＰＣ）
１４　信号発生器
１５、１２３　タイミング回路
１６１〜１６ｎ　減衰器（ＡＴＴ）
１７　プログラムマブル高周波スイッチ
１２１　受信部
１２２　ＲＳＳＩ測定回路
１２４　ランダム・アクセス・メモリ（ＲＡＭ）
１２５　外部Ｉ／Ｏメモリ
【図１】
2004120691.tif 000003
【図２】
2004120691.tif 000004
【図３】
2004120691.tif 000005
【図４】
2004120691.tif 000006